(57)【要約】【課題】幼児用自転車や幼児用自動車等の幼児用乗物に取り付けて使用されるものであり、幼児用乗物に幼児を乗せた状態で保護者が自然な立ち姿勢のまま、歩きながらその後ろから片手で押しながら前に進めることができたり、また、保護者の手によって自由に向きを換えたり、ブレーキによる安全操作ができる、幼児用乗物のブレーキ付保護者用操向装置及びこれを備えてなる幼児用乗物を提供することにある。【解決手段】保護者用ハンドルを上端に備えた長尺ハンドル軸と、この長尺ハンドル軸を幼児用乗物の後部から後上方に向けて取り付けるための保持部とを備えた保護者用操向装置に、幼児用乗物のブレーキ操作を行なう保護者用ブレーキ装置を備えていることを特徴とするブレーキ付保護者用操向装置及びこれを備えてなる幼児用乗物。【選択図】  図１
2004314684.tif 000002
【特許請求の範囲】
【請求項１】
保護者用ハンドルを上端に備えた長尺ハンドル軸と、この長尺ハンドル軸を幼児用乗物の後部から後上方に向けて取り付けるための保持部とを備えた保護者用操向装置に、幼児用乗物のブレーキ操作を行なう保護者用ブレーキ装置を備えていることを特徴とするブレーキ付保護者用操向装置。
【請求項２】
保護者用ブレーキ装置は、保護者用ハンドルに設けたブレーキレバーと、このブレーキレバーの操作によって幼児用乗物のブレーキ装置を作動させるブレーキワイヤーと、このブレーキワイヤーの一端を幼児用乗物のブレーキ装置に接続する接続操作具を備えたもので構成されている請求項１に記載のブレーキ付保護者用操向装置。
【請求項３】
接続操作具は、幼児用乗物のブレーキワイヤーを覆っているアウターを前後に分断させ、その後側のアウターにおける前端部に装着する装着部を備える固定部材と、ブレーキワイヤーの中途部を露出させて当該中途部をブレーキ作動させる方向に操作する作動部を有する作動部材と、この作動部材の作動部を近接・離反方向に可動するバネとを備え、前記作動部材の作動部がブレーキレバーによって作動するようにブレーキワイヤーの先端部が支持されている請求項１又は２に記載のブレーキ付保護者用操向装置。
【請求項４】
接続操作具は、チェーンステイに固定した固定部材に、保護者用ブレーキのブレーキワイヤーを覆っているアウターの後端部を装着し、この固定部材の後方にスライド部材をバネで後方に付勢させた状態でスライド自在に支持して、当該スライド部材に保護者用ブレーキのブレーキワイヤーの後端部と幼児用乗物のブレーキのブレーキワイヤーを覆っているアウターの後端部とを装着して、当該アウター内から延出させたブレーキワイヤーの引き操作と、保護者用ブレーキレバーの操作による前記スライド部材の引き操作によって幼児用乗物のブレーキワイヤーをアウターとともに引き操作できるように構成されている請求項１又は２に記載のブレーキ付保護者用操向装置。
【請求項５】
ブレーキレバーのレバー作動状態においてブレーキが掛かり、ブレーキレバーのレバー解除状態においてブレーキが解除される請求項２又は３に記載のブレーキ付保護者用操向装置。
【請求項６】
ブレーキレバーのレバー作動状態においてブレーキが解除され、ブレーキレバーのレバー解除状態においてブレーキが作動する請求項１ないし４のいずれか１項に記載のブレーキ付保護者用操向装置。
【請求項７】
ブレーキレバーには、レバーの作動位置を維持する係止機構が設けられている請求項１ないし４のいずれか１項に記載のブレーキ付保護者用操向装置。
【請求項８】
幼児用乗物が幼児用自転車である請求項１ないし７のいずれか１項に記載のブレーキ付保護者用操向装置を備えた幼児用乗物。
【請求項９】
幼児用乗物が幼児用三輪車である請求項１ないし７のいずれか１項に記載のブレーキ付保護者用操向装置を備えた幼児用乗物。
【請求項１０】
幼児用乗物が幼児用自動車である請求項１ないし７のいずれか１項に記載のブレーキ付保護者用操向装置を備えた幼児用乗物。
【請求項１１】
幼児用乗物の車輪と、この車輪を回転させるペダルとを連動させている動力伝達部の一部個所が、動力伝達の遮断を可能とする構造を有する請求項８ないし１０のいずれか１項に記載のブレーキ付保護者用操向装置を備えた幼児用乗物。
【請求項１２】
保護者用操向装置が保護者用ブレーキ装置と共に幼児用乗物に対して着脱自在に構成されている請求項８ないし１１のいずれか１項に記載のブレーキ付保護者用操向装置。
【発明の詳細な説明】
【０００１】
【発明の属する技術分野】
本発明は、幼児用２輪車（幼児用自転車）、幼児用三輪車、足踏みペダルを備えた幼児用自動車等の幼児用乗物を、保護者が立った姿勢で後ろから押しながらブレーキ操作ができるブレーキ付保護者用操向装置及びこの装置を備えた幼児用乗物に関する。
【０００２】
【従来技術】
従来技術の幼児用自転車としては、例えば、宮田工業株式会社製のウルトラマン１４／１６／１８等が公知である（例えば、非特許文献１参照。）。このタイプの幼児用自転車を含め、一般に市販されている幼児用自転車は、一般の自転車と同じように前輪をハンドルで操向させ、両足でペダルを踏んで後輪を回転させ、ハンドルに設けられているブレーキレバーの操作により車輪の回転にブレーキ力を与える構造を有し、特に、現在市販されている多くの幼児用自転車は、後輪の左右に補助輪を備えて、幼児が自転車を運転したときや停止してときに、自転車が転倒しないように構成されている。
【０００３】
【非特許文献１】
宮田工業株式会社１９９９年発行カタログ  （車種番号、ＦＵＭ−１４０，ＦＵＭ−１６０，ＦＵＭ−１８０）。
【０００４】
また、幼児用乗物の一種には幼児用三輪車があり、この幼児用三輪車としては、丸石自転車工業株式会社製の三輪車等が公知である（例えば、非特許文献２参照）。このタイプの三輪車を含め、一般に市販されている幼児用三輪車は、フレーム前端のハンドルボスに前輪のハンドル軸を支持し、この前輪の左右にクランクアームを介して足踏みペダルを備え、後輪は左右に２輪有し、フレームの上部にサドルを備えている。
【０００５】
【非特許文献２】
丸石自転車工業株式会社１９９９年発行カタログ  （カタログ番号Ｎｏ．Ｘ２２９）。
【０００６】
更に、幼児用乗物の一種に幼児用自動車があり、この幼児用自動車としては、座席の前方にホイール形状を有する操向ハンドルを備え、この操向ハンドルの操作によりハンドル軸を回動させて、当該ハンドル軸の下端部に設けられているアームを操作することにより、前輪の操向クランクを操作する構造を有し、また、座席の前下方に設けられているペダルを両足で交互に踏み込むことで、クランク軸を回転させ、クランク軸に設けられているスプロケットと後輪の支軸に設けられているスプロケット間に懸架されているチェーン又はベルトを回転させることによって、後輪に駆動力を与える構造を有する。
【０００７】
これらの幼児用乗物は、幼児が自力で運転するようになっており、保護者が後ろから手で押して走行力を与えるときには、保護者が姿勢を前方に傾けて、荷台を押したり、車体の後部を押していた。
【０００８】
このため、保護者にとっては、不自然な姿勢を取らなくてはならないため、腰痛等の原因となるなどの問題があった。
【０００９】
この問題に対し、本体フレームの後部に設けた保護者用ハンドルを設け、この保護者用ハンドルと前輪及びハンドルの支軸の間を連動機構を介して連動する構成を有している幼児用三輪車が開示されている（例えば、特許文献１参照）。
【００１０】
【特許文献１】
特開２００１−２４７０７２号公報に記載の幼児用三輪車
【００１１】
【発明が解決しようとする課題】
ところで、保護者が幼児用自転車、幼児用三輪車、幼児用自動車等の幼児用の乗物に乗った幼児と一緒に、散歩したり公園で遊んでいる光景がよく見られる。また、幼児用自転車に乗った幼児と一緒に、買い物に出かけたりする光景もよく見受けられる。
【００１２】
このとき幼児用乗物に乗った幼児の進む速度と保護者の歩く速さに違いがあると、保護者は時には走ったり、立ち戻ったり、後戻りして、いつも幼児の傍に居ないと幼児が事故に遭う危険性がある。保護者にしても、気苦労や体力を使うことになり、特に、坂道では尚更である。また、幼児が疲れた時には、保護者が後ろから押してあげることも必要となる。
【００１３】
また、公園で遊ぶときに、幼児の乗った幼児用乗物を後ろから保護者が押して、子供を更に楽しくさせたり、運転の練習をさせて、幼児用乗物を通じて親子のふれあいの機会を多くすることも必要である。
【００１４】
ここで、座席後下方から後上方に向けて保護者用ハンドルを備えている幼児用乗物においては、幼児を三輪車に乗せて、保護者が後ろから片手で押しながら、一緒に歩くことができたり、公園で幼児の乗った幼児用乗物を後ろから保護者が押して、子供を更に楽しくさせたり、親子のふれあいができるのであり、保護者も腰を屈める必要がないので、疲れないという利点がある。
【００１５】
しかしながら、このタイプの保護者用ハンドルを備えた幼児用乗物においては、保護者が、幼児を乗せた三輪車を坂道の途中で止めて立ち話をしている途中にうっかり保護者用ハンドルから手を離したり、手に持っている荷物をもう片方の手に持ち替えるときに、三輪車が坂道を自然に下り、ときにはその勢いを増し、幼児を極めて危険な目に遭わすことにもなる。
【００１６】
そこで、本発明者は、これらの課題を解決するためには、保護者が幼児用乗物の後ろから、自然な立ち姿勢のまま、保護者が幼児用乗物の後ろから操作できるブレーキが必要であると考えた。本発明のブレーキ付保護者用操向装置は、このような背景のもとに発明されたものである。また本発明者は、この装置を幼児用自転車や、幼児用三輪車、幼児用自動車などの幼児用乗物に備えるための、様々な工夫も試みた。
【００１７】
このような経緯を経て完成するに至った本発明は、幼児用自転車、幼児用三輪車、幼児用自動車等の幼児用乗物に取り付けて使用し、幼児用乗物に幼児を乗せたまま、保護者が自然な立ち姿勢のまま、歩きながらその後ろから片手で押しつつ前進することができるのであり、また、保護者の手によって、ブレーキ操作ができるのであり、幼児を幼児用乗物に乗せたまま、保護者は自分の歩く速さに合わせて幼児用乗物を移動させることができる上、保護者が自然な立ち姿勢のまま後ろから押して走行させたり、運転の練習させることができるブレーキ付保護者用操向装置を提供すること、及びこの装置を備えた幼児用自転車や幼児用自動車等の幼児用乗物を提供することを目的とする。
【００１８】
【課題を解決するための手段】
本発明のブレーキ付保護者用操向装置においては、保護者用ハンドルを上端に備えた長尺ハンドル軸と、この長尺ハンドル軸を幼児用乗物の後部から後上方に向けて取り付けるための保持部とを備えた保護者用操向装置に、幼児用乗物のブレーキ操作を行なう保護者用ブレーキ装置を備えていることを特徴とするものである。
【００１９】
即ち、本発明のブレーキ付保護者用操向装置においては、幼児用自転車、幼児用三輪車、幼児用自動車等の幼児用乗物の後上方に向けて取り付けて使用するものであり、保護者用のブレーキ装置を備えるものである。
【００２０】
その取り付けにおいて、保護者用ハンドルは、幼児用乗物の後方に居る保護者が自然な立ち姿勢のまま手で握ることができるように、幼児用乗物の座席後方に長尺ハンドル軸及びその保持部を介して位置させ、ブレーキ装置は主としてこの保護者用ハンドルに取り付けられている。
【００２１】
本発明のブレーキ付保護者用操向装置に用いられている保護者用ハンドルは、両手で操作できる形状のものでも良いが、片手で操作できるもの、例えば、楕円形状のもの、略三角形状のもの、円筒形のグリップ状のものなどが挙げられるのであり、これらの中でも、特に、手で持ち易く、手で持って前方に押し易い楕円形状のものが最適である。
【００２２】
なお、本発明においては、この保護者用ハンドルを左右に回動させることによって前輪の操向方向を左右に回動させるように構成しても良いのである。この場合、その操向の動力伝達構造としては特に限定されるものではないが、具体的には、例えば操向ハンドルを左右いずれかの方向に回動させることによって操向ハンドルを支持している長尺ハンドル軸を連動させ、長尺ハンドル軸の下端部に取り付けられているワイヤー操作部を回動操作させることによって、２本のプッシュプルワイヤーを操作し、幼児用乗物のハンドル軸に設けられているワイヤー操作部とともにこのハンドル軸を回動させ、前輪の操向方向が決められる構造等を挙げることができる。
【００２３】
本発明に係るブレーキ付保護者用操向装置における保護者用ブレーキ装置としては、当該操向装置自体に単独でブレーキ機能を備えているものや、当該操向装置を操作することにより、幼児用乗物に備え付けられているブレーキ装置を操作するものであっても良いが、後者の方が、構造上無駄がなく、コンパクトにでき、製造コストを押さえることができるため好ましい。
【００２４】
そして、本発明において、保護者用ブレーキ装置としては、保護者の操作により、幼児用乗物のスピードを調整したり、停止させたりするものであれば、特に限定されるものではなく、ワイヤー等を用いてブレーキ装置を操作する有線機構や電波や赤外線等を用いてブレーキ装置に指令を送信する無線機構のいずれであっても良い。
【００２５】
しかしながら、コストの面や誤作動を防止するためにはワイヤー等を用いてブレーキ装置を操作する有線機構の方が好ましく、この有線機構の好ましい例としては、保護者用ハンドルに設けたブレーキレバーと、このブレーキレバーの操作によって幼児用乗物のブレーキ装置を作動させるブレーキワイヤーと、このブレーキワイヤーの一端を幼児用乗物のブレーキ装置に接続する接続操作具とを備えたものを挙げることができる。このように構成すると、幼児用自動車のブレーキシューやブレーキ板などがそのまま利用できる。
【００２６】
なお、前記接続操作具は、保護者用のブレーキ装置から延出しているブレーキワイヤーの一端を、幼児用乗物のブレーキ装置に接続して、幼児用乗物のブレーキを制動させることができる構造のものであれば良く、その構造は特定のものに限定されないが、その好ましい例としては、接続操作具は、幼児用乗物のブレーキワイヤーを覆っているアウターを前後に分断させ、その後側のアウターにおける前端部に装着する装着部を備える固定部材と、ブレーキワイヤーの中途部を露出させて当該中途部をブレーキ作動させる方向に操作する作動部を有する作動部材と、この作動部材の作動部を近接・離反方向に可動するバネとを備え、前記作動部材の作動部がブレーキレバーによって作動するようにブレーキワイヤーの先端部が支持されている構造のものを挙げることができる。
【００２７】
この構造の接続操作具の原理は、例えば洗濯バサミに見い出すことができる。洗濯バサミを例に挙げて分かり易く説明すると、洗濯バサミの左右先端部の一方をアウターに固定し、他方でブレーキワイヤーを引くことができるようにし、洗濯バサミの手で操作する左右後端部の一方に保護者用のブレーキ装置のアウターを支持し、他方にそのブレーキワイヤー（インナー）を装着する。このようにすると、保護者用のブレーキ装置のブレーキレバーを操作すると、洗濯バサミの先端が開き、これによりブレーキワイヤーが引き付けられる方向に移動し、ブレーキが作動する。
【００２８】
また、上述した構造の接続操作具に代わる他の手段として、チェーンステイに固定した固定部材に、保護者用ブレーキのブレーキワイヤーを覆っているアウターの後端部を装着し、この固定部材の後方にスライド部材をバネで後方に付勢させた状態でスライド自在に支持して、当該スライド部材に保護者用ブレーキのブレーキワイヤーの後端部と幼児用乗物のブレーキのブレーキワイヤーを覆っているアウターの後端部とを装着して、当該アウター内から延出させたブレーキワイヤーの引き操作と、保護者用ブレーキレバーの操作による前記スライド部材の引き操作によって幼児用乗物のブレーキワイヤーをアウターとともに引き操作できる接続操作具が挙げられる。
【００２９】
この固定部材は、後輪を支持している左右のチェーンステイの前部に固定されており、その固定構造の好ましい１形態として、固定部材の上部を略Ｔ形状に形成して、この部分を左右のチェーンステイの前部間に懸架させて上部を溶接で固定し、その下部をワイヤーなどが後輪やチェーンに接触しないように左側方に寄せたものが挙げられるのであり、このように構成すると固定部材を強固に固定できるので望ましい。
【００３０】
この固定部材の下部は、保護者用ブレーキレバーから延出したブレーキワイヤーのアウター後端部を装着するための装着部分となる開孔又は切欠き孔を有し、固定部材の前面側からこの開孔又は切欠き孔内に前記アウター後端部を突入させて、このアウター後端部をナットで固定部材に固定するように構成しても良いのである。
【００３１】
そして、このアウター内から後方に向けて延出させたブレーキワイヤー（インナー）の後端部を、固定部材後方に位置するスライド部材に装着させるようにしても良いのである。
【００３２】
前記スライド部材は、固定部材に支持されてその後方に位置し、その好ましい支持形態として、例えば、固定部材から後方に向けて丸棒形状にガイド棒を突出させ、このガイド棒にスライド部材に設けた筒部を嵌入支持させたものが挙げられるのであり、このように構成すると、スライド部材の姿勢が安定し、常に安定したブレーキ力を確保できるので好ましい。
【００３３】
そして、コイルバネをガイド棒に支持させた状態で固定部材とスライド部材との間に位置させて、保護者用ブレーキレバーの操作によって前方に引き付けられているスライド部材を、その操作を解除したときに、このコイルバネの付勢力で元の位置に戻るように構成されている。
【００３４】
そして、このスライド部材に、幼児用乗物のブレーキのブレーキワイヤーを覆っているアウターの後端部を前方から装着し、このアウター内からブレーキワイヤーの後端部を後方に向けて延出させて、この後端部を幼児用ブレーキの作動アームに装着させている。
【００３５】
又、幼児用乗物におけるブレーキのブレーキワイヤーの引き付けを解除したときに、この作動アームを元の位置に復帰させるバネを設けて、ブレーキ操作による制動力が確実に解除できるようにした。
【００３６】
本発明において、接続操作具は、このような洗濯バサミのような開閉構造を持つものが、構造が簡単であり、故障も少なく、丈夫であり、安価に製造できるなどの様々な利点があることから最適とするが、例えば、回動開閉する構造のものではなく、直線方向に開閉する構造のものであってもよい。なお、いずれの構造のものにも、ブレーキワイヤーを操作する先端部がバネによって閉じる方向に付勢され、保護者用のブレーキレバーを解除方向に戻すと、接続操作具の先端部が閉じる方向に戻り、ブレーキワイヤーが元の位置に戻るようになっている。
【００３７】
本発明のブレーキ付保護者用操向装置を以上のように構成すると、幼児用乗物に幼児を乗せたまま、保護者が自然な立ち姿勢のまま、歩きながらその後ろから片手で押しながら前に進めることができ、ブレーキ操作できるのである。また、上述の保護者用ハンドルを左右に回動させることによって前輪を操向させる構成を併せて合わせて採用した場合には、更に保護者の手によって自由に向きを換えることもできるのである。
【００３８】
ところで、保護者が、幼児用乗物に幼児を乗せたまま、坂道で立ち止まって手を離すことがあると、幼児用乗物がその位置で停止することなく自然に坂道を下るという危険な状態を招く。
【００３９】
このため、本発明のブレーキ付保護者用操向装置においては、ブレーキレバーのレバー作動状態においてブレーキが掛かり、ブレーキレバーのレバー解除状態においてブレーキが解除されるように構成しても良く、或いは逆に、ブレーキレバーのレバー作動状態においてブレーキが解除され、ブレーキレバーのレバー解除状態においてブレーキが作動するように構成しても良いのである。
【００４０】
ところで、本発明のブレーキ付保護者用操向装置においては、ブレーキレバーを作動させた状態においてブレーキが作動する構成のものよりも、ブレーキレバーを作動させた状態においてブレーキが解除され、ブレーキレバーの解除状態においてブレーキが作動する構成のものを採用することが好ましく、このように構成することにより、保護者がブレーキレバーを作動している間、運転する幼児は幼児用乗物を自由に進めることができるが、一旦保護者がブレーキレバーから手を離せば、幼児用乗物にはブレーキがかかり、幼児用乗物をその位置で停止させることができるようになるのである。
【００４１】
又、本発明のブレーキ付保護者用操向装置においては、更に、保護者用ブレーキレバーには、レバー作動状態を維持する係止機構を設けることが好ましく、このように構成することにより、ブレーキが作動している状態、ブレーキが解除されている状態、或いはその中間におけるいずれかの状態を維持することができ、保護者の手を放れて幼児が自由に運転させたり、スピードが出過ぎないように調節したり、幼児用乗物をその位置で停止させることができるようになるのである。
なお、本発明においては、当該係止を解除するリリース用操作部が併せて設けられているものも好ましい。
【００４２】
ところで、前述した本発明のブレーキ付保護者用操向装置においては、幼児用乗物の後部から後上方に向けて取り付けて使用するものであり、本発明者は、好適な幼児用乗物として幼児用自転車を挙げる。特に、後輪の両側に補助輪を取り付けたものが望ましい。この場合、ブレーキ付保護者用操向装置の主要な部分である長尺ハンドル軸は、幼児用自転車のクランク軸の近接する後方から左右のサドルステイ間を通り、幼児用自転車の後上方に向くように取り付けられ、その取り付けは、長尺ハンドル軸の保持部を、左右のサドルステイ、左右のチェーンステイ、クランク軸を保持している筒部などの適当なフレームの個所に装着したり、或いは固定することにより可能となる。
【００４３】
この他にも、本発明のブレーキ付保護者用操向装置は、幼児用三輪車や幼児用自動車にも取り付けて使用できる。
【００４４】
一般に、幼児用三輪車はブレーキを設けていないので、後輪にブレーキ装置を設けて本発明のブレーキ付保護者用操向装置に対応させる。
【００４５】
そして、前輪の左右に位置するペダルをクランクアームと共に、前輪の車軸に対して着脱できるように構成し、別途、足置部をこの位置に取り付けることができるようにする。このように構成すると、保護者の歩く速さでペダルが回転して幼児の足を危険な目に遭わせることがない。
【００４６】
幼児用自動車は、座席の前方にホイール形状を有する操向ハンドルを備え、幼児が座席に座った姿勢のまま、この操向ハンドルの操作によりハンドル軸を回動させて、ハンドル軸の下端部に設けられているアームを操作することにより前輪の操向クランクを操作する構造を有する。
【００４７】
また、座席の前下方に設けられているペダルを両足で交互に踏み込むことで、クランク軸を回転させ、クランク軸に設けられているスプロケットと後輪の支軸に設けられているスプロケット間に懸架されているチェーン又はベルトを回転させることによって、後輪に駆動力を与える構造を有するものが該当する。この他にも、モータの駆動力を得て走行する充電電動式の幼児用自動車であっても良い。
【００４８】
なお、ペダルを両足で交互に踏んで走行する幼児用自動車の場合、保護者が後ろから押すと、ペダルもこれに連れて回転するために、ペダルに乗せた幼児の足に危険が及ぶ。
【００４９】
このため、本発明では、幼児用乗物の車輪と車輪を回転させるペダルとを連動させている動力伝達部の一部個所を動力の遮断を可能とする構造にして、保護者がこの動力の遮断操作ができるようにした。
【００５０】
その遮断構造としては、クランク軸のスプロケットと後輪車軸のスプロケット間に懸架してあるベルトのテンションを緩めたり、後輪車軸とその軸上のスプロケットがクラッチ板や、ピンなどを介して連動させ、またその解除ができる構造が挙げられる。
【００５１】
本発明における保護者用操向装置においては、保護者用ブレーキ装置と共に幼児用乗物に対して着脱自在な構造を有し、保護者用操向装置を使用しないとき、或いは保護者用操向措置が不要になったときに、これを取り外すことができるように構成しても良いのである。
【００５２】
そして、保護者用ブレーキ装置の取り外しが容易に行なえるように、保護者用ブレーキにおけるブレーキワイヤーの途中部分をジョイントで接続したものが望ましい。
【００５３】
更に、本発明においては、保護者用のハンドル軸やその周囲の保持部が簡単に着脱できるように、保護者用ハンドル軸を、下部を残して上部が取り外しできる上下分割可能な構造のものが挙げられる。このように構成すると、必要に応じて、簡単にブレーキ付保護者用操向装置を幼児用乗物に装着できたり、或いは、取り外すことができる。
【００５４】
【発明の実施の形態】
本発明のブレーキ付保護者用操向装置の具体的な実施の形態を幼児用自転車に適用したものについて詳述するが、本発明はこれに限定されるものではない。
【００５５】
図１の（ａ）図は本発明の第１実施形態によるブレーキ付保護者用走行装置（以下、第１実施形態の走行装置と略称する。）を装着した幼児用自転車を示した側面図であり、同（ｂ）図は保護者用ハンドルを示す要部平面図であり、同（ｃ）図は同じく保護者用ハンドルの要部後面図である。
【００５６】
図１の（ａ）図では、第１実施形態の走行装置１が幼児用自転車５０に装着されている。第１実施形態の走行装置１は、保護者用の操向装置２に保護者用のブレーキ装置３を装備しており、保護者用の操向装置２は、保護者用ハンドル４と、この保護者用ハンドル４を上端に装着した長尺ハンドル軸５と、この長尺ハンドル軸５全体を保持している長尺状を有する金属パイプ製の保持部６と、この保持部６の下部に装着されているワイヤー操作部ケース７とによって構成されており、前記保持部６を幼児用自転車５０のサドルＳの下方から幼児用自転車５０の後上方に向けて突出するように装着されている。
【００５７】
前記保護者用ハンドル４は、本実施形態では、図１の（ｂ）及び（ｃ）図に示すように、保護者が片手で持ち易い楕円形状を有する、例えば合成樹脂で形成されており、保護者が片手で押したり、回動させ易いように、略水平に向けてある。
【００５８】
そして、図１の（ａ）図に示すように、前記保持部６の下部側に位置するワイヤー操作部ケース７内から幼児用自転車５０のハンドル軸５１を保持しているハンドルボス５２の下部に装着したワイヤー操作部ケース５３内に向けてプッシュプルワイヤー１８，１９をそのアウター２０，２１とともに接続させている。
【００５９】
図２の（ａ）図は、保持部６の下部側に位置するワイヤー操作部ケース７内を拡大して示した側面断面図であり、同（ｂ）図は同じく平面断面図である。
【００６０】
これら各図に示すように、ワイヤー操作部ケース７は左右両端近傍から夫々ワイヤーガイド部７ａ，７ｂを突出させた平面視、略円形を有する上下分割構造の金属製又は樹脂製のものであり、ワイヤー操作部ケース７の上面中央には、長尺ハンドル軸５とともに保持部６の下部を突入させる開口７ｃが形成されており、この開口７ｃ内に突入させた長尺ハンドル軸５の下部に、ワイヤーガイド板８がワイヤー操作部９とともにネジ１３，１４で止められている。
【００６１】
又、前記長尺ハンドル軸５の下部支持は、ワイヤー操作部ケース７の内側下面中央から上方に向けて突出させたボス７ｄにネジ１６を挿通させ、このネジ１６の先端部を長尺ハンドル軸５の下端面から内部に向けて螺装して、ボス部７ｄ上に支持させることにより行なわれており、保持部６とワイヤー操作部ケース７とは、保持部６の下部に形成されているフランジ部６ａと該ワイヤー操作部ケース７の上面とを重ね合わせて、双方をボルト１７，１７で装着されている。
【００６２】
そして、ワイヤーガイド部７ａ，７ｂからワイヤー操作部ケース７内に挿通させた２本のプッシュプルワイヤー１８，１９の一端近傍部を、一方を右側から、他方を左側からそれぞれワイヤーガイド板８の外周面に沿わせ、各先端部をワイヤー操作部９の後端にボルト１０を用いて装着させている。そして、前記各プッシュプルワイヤー１８，１９のアウター２０，２１の一端をワイヤーガイド部７ａ，７ｂの先端にボルト２２を用いて装着させている。
【００６３】
次に、図１の（ａ）図に示す幼児用自転車５０に装着されているワイヤー操作部ケース５３の内部構造について説明する。
図３の（ａ）図は、ワイヤー操作部ケース５３内を拡大して示す側面断面図であり、同（ｂ）図は同じく平面断面図である。
【００６４】
これら各図に示すように、ワイヤー操作部ケース５３は、前述したワイヤー操作部ケース７と略同様の形状を有しており、左右両端近傍の後部から夫々ワイヤーガイド部５３ａ，５３ｂを突出させた平面視略円形を有する金属製又は樹脂製のものであり、このワイヤー操作部ケース５３の上面中央には、ハンドル軸５１とともにハンドルボス５２の下部を突入させる開口５３ｃが形成されており、この開口５３ｃ内に突入させたハンドル軸５１の下部に、ドーナツ板形状を有するワイヤー操作部５４が装着されている。
【００６５】
そして、前記ワイヤー操作部５４の後端中央における左右に形成された円弧状の切欠溝５４ｃ，５４ｃと、この切欠溝５４ｃ，５４ｃに連通するピン孔５４ｂ、５４ｂが上下方向に向けて形成されている。
【００６６】
そして、前記ワイヤーガイド部５３ａ，５３ｂからワイヤー操作部ケース５３に挿通させた２本のプッシュプルワイヤー１８，１９の他端近傍部分を、一方を右側から、他方を左側からそれぞれワイヤー操作部５４の外周面に沿わせ、各先端部に装着してあるピンをピン孔５４ｂ内に上下に重ね合わせた向きで突入させることにより、２本のプッシュプルワイヤー１８，１９の他端側の先端部分をワイヤー操作部５４に装着させている。そして、各プッシュプルワイヤー１８，１９のアウター２０，２１の他端をワイヤーガイド部５３ａ，５３ｂの先端に装着させている。
そして、ハンドル軸５１とワイヤー操作部５４とをピン５６で連結して回動方向に連動するようにしてある。
【００６７】
以上のように２本のプッシュプルワイヤー１８，１９の各一端をワイヤー操作部９に、各他端をワイヤー操作部５４に装着することにより、図１の（ａ）に示す保護者用ハンドル４を左右いずれかの方向に回動操作すると、図２の（ａ）図及び（ｂ）図に示す長尺ハンドル軸５を介してワイヤー操作部９が回動して一方のプッシュプルワイヤー１８（１９）が引かれる。その結果、図３の（ａ）図及び（ｂ）図に示すワイヤー操作部５４が回動し、更に、ハンドル軸５１を通じて幼児用自転車５０の操向ハンドル５４及び前輪５５を支持しているフォーク５６を介して前輪５５を左右方向に操向させることができる。
【００６８】
更に、保護者用の操向装置２に装備されている保護者用のブレーキ装置３について説明する。
図１の（ａ）図に示す保護者用のブレーキ装置３は、保護者が幼児用自転車５０の後ろからブレーキを制動する装置であり、幼児用自転車５０のブレーキレバー５７とブレーキ部５８とを連動させているブレーキワイヤー７０の後部近傍における中途部において、保護者用の操向ハンドル４に設けられた保護者用ブレーキレバー９０から当該ブレーキワイヤー７０を操作する機構を備えている。
【００６９】
このため、保護者用ハンドル４における保護者用ブレーキレバー９０にブレーキワイヤー６９の一端を装着し、又、このブレーキワイヤー６９の他端をブレーキ装置３の接続操作具６０に装着している。
【００７０】
図４の（ａ）及び（ｂ）はブレーキ装置３を示す図である。
図４に示すように、ブレーキ装置３の接続操作具６０は、この場合、固定部材６１と作動部材６２とを略Ｖ字状に組み付けてバネ６８で付勢した洗濯バサミの如き構造を有する。
【００７１】
図１の（ａ）図を参照しつつ図４に沿って、接続操作具６０の構造とその取付構造及びその動きを詳しく説明すると、固定部材６１と作動部材６２とは中途部を係合させて、双方の下端部６１ａ，６２ａがバネ６８で近接又は接当する方向に付勢された組付構造を有する。
【００７２】
図４に示すように、幼児用乗物のブレーキワイヤー７０のアウターは、後部近傍個所が前後に分断されて前後２本のアウター７２，７３に形成されており、この２本のアウター７２，７３の間からブレーキワイヤー７０の中途部を露出させてあり、ブレーキレバー側のアウター７２の後端近傍に位置するブレーキワイヤー７０の中途部には前記作動部材６２の下端部６２ａに係止される係止部材７９が固定されている。
【００７３】
前記接続操作具６０の固定部材６１には、その下端部６１ａに、分断した後部側のアウター７３の前端部を挿通する開孔６１ｂが形成され、又、その上端部に、保護者用のブレーキレバー側から延出させたブレーキワイヤー６９の先端部が挿通される開孔６１ｃが形成されている。
【００７４】
一方、接続操作具６０の作動部材６２には、その下端部６２ａに、前述したアウター７２，７３の間から露出しているブレーキワイヤー７０を挿通させる開孔６２ｂが形成され、又、その上端部に、保護者用のブレーキレバー９０側から延出されたブレーキワイヤー６９のワイヤー６３を挿通させる開孔６２ｃが形成され、このワイヤー６３の先端部を開孔６２ｃに挿通させてピン７４を装着して前記作動部材６２に固定されている。
【００７５】
そして、この接続操作具６０は、固定部材６１の下端部６１ａに外側からアウター７３の先端部を突入させて、この先端部近傍に螺装したナット７４によって、アウター７３を固定部材６１に受け止めるようにし、一方、作動部材６２の下端部６２ａにおける開孔６２ｂ内にブレーキワイヤー７０の中途部を挿通させて、このブレーキワイヤー７０の中途部に設けてある係止部材７９を当該作動部材６２の外側面に接当させた状態で、幼児用自転車のブレーキワイヤー７０側に取り付けられている。
【００７６】
そして、固定部材６１の開孔６１ｃ内に保護者用のブレーキレバー側から延出させたブレーキワイヤー６９の先端部を挿通させて、この先端部近傍に螺装したナット７７によって固定部材６１に受け止めるようにし、このブレーキワイヤー６９におけるワイヤー６３の先端部を開孔６２ｃに挿通させて作動部材６２の外側にピン７４を装着、接当させている。
【００７７】
このような取付構造に構成すると、保護者用のブレーキレバー９０の操作により作動部材６２の上端部を引きつけて、その下端部６２ａが固定部材６１の下端部６１ａに対して開く方向に作動して、ブレーキワイヤー７０の中途部に固定してある係止部材７９を引き、ブレーキ操作できるようになる。そして、保護者用のブレーキレバー９０の操作を解除させると、バネ６３の付勢力によって、作動部材６２の下端部６２ａを元の閉じる方向に戻し、ブレーキの制動を解除させる。
【００７８】
なお、本実施例においては、保護者用のブレーキレバー９０を作動させた状態においてブレーキが作動する構成のものとなっているが、ブレーキレバー９０の操作によるワイヤーの引きつけを逆に構成することにより、ブレーキレバーを作動させた状態においてブレーキが解除され、ブレーキレバーの解除状態においてブレーキが作動する構成のものとすることもできる。
【００７９】
勿論、このブレーキワイヤー７０を、図１の（ａ）図に示す幼児用自転車５０の操向ハンドル５４に装着されているブレーキレバー５７の操作によっても引きつける方向に操作してブレーキ作動ができるように構成されている。
【００８０】
ところで、本実施例においては、保護者用のブレーキレバー９０に設けてあるレバー９１の操作で、ブレーキを作動させたままにしたり、或いは解除させたままにしたりすることができるように構成されている。
【００８１】
図５は保護者用の操向装置２を幼児用自転車５０に取り付ける構造を示す要部側面図であり、図６は幼児用自転車における左右のサドルステイ８１，８１に支持部材８２を装着した状態を示す平面図であり、図７は幼児用自転車のハンガーラグ（ボトムブラケットラグ）８４と左右のチェーンステイ８５，８５の前端間に保護者用操向装置２の保持部の下部を装着した状態を示す平面図であり、図８は同じくその側面図である。
【００８２】
これら各図に示すように、保護者用操向装置２の長尺ハンドル軸５とその保持部６はその下部において着脱可能な分割構造を有する。
【００８３】
図５〜図８に示すように、幼児用自転車５０における左右のサドルステイ８１，８１の間に、保持部６を挿通させる大きさの筒状の支持部材８２が固定されている。そして、幼児用自転車５０のクランク軸を支持している金属製筒体よりなるハンガーラグ（ボトムブラケットラグ）８４と、左右のチェーンステイ８５，８５の間に、保持部６の下部側６Ｂを溶接によって装着している。
【００８４】
そして、図７及び図８に示すように、下部側の保持部６Ｂの上端外周面に、上部側の保持部６Ａの下端部を挿通支持させる筒部材８７を上方に向けて突出させた状態で固定してある。
【００８５】
一方、長尺ハンドル軸５は下部側の分割部５Ｂと上部側の本体部５Ａとが回転方向に連動する接続になるように、下部側の分割部５Ｂには、上部側の本体部５Ａの下端部が嵌まるピン９４が横方向に係止されている。図示していないが、上部側の本体部５Ａの下端部には、このピン９４に嵌まるＵ形状に切欠部が形成されている。そして、上下の保持部６Ａ，６Ｂが回転しないように、摘み付きネジ８９で固定できるようにしてある。
【００８６】
なお、上下のハンドル軸の連結を、他の方法、例えば、双方の端部を合わせることにより、角形溝と角型の突起による組み付け、又はスプラインを利用した接続ができるようにしてもよい。
【００８７】
また、本発明のブレーキ付保護者用操向装置は、幼児用の自動車に取り付けることもできる。
図９は半発明のブレーキ付保護者用操向装置１を幼児用自動車１００に取り付けた状態を透視して示した平面図である。
図９に示す幼児用自動車１００は、車台（図示せず）の上にボディ１０１を搭載し、このボディ１０１の中央に設けられている大きな開口１０２内に座席１０３が取り付けられており、この座席１０３の前方には操向ハンドル１０４を備えられている。
【００８８】
そして、この操向ハンドル１０４を支持しているハンドル軸１０５の下端部に、前輪１０６，１０６の操向を行なうリンク１０７を操作する操作アーム１０８を突出させている。
【００８９】
そして、更に、座席１０３の前下方に、ペダル１１０．１１０がクランク軸１１１で支持されており、このクランク軸１１１には、ベルトスプロケット１１２が装着されており、このベルトスプロケット１１２の後方には、後輪１１３、１１３の車軸１１４が位置し、この車軸１１４上にベルトスプロケット１１５が装着されている。
【００９０】
そして、双方のベルトスプロケット１１２，１１５間にはベルト１１６が掛けられ、このベルト１１６をテンションプーリー１１７で緊張させて、ペダル１１０，１１０によるクランク回転を後輪１１３，１１３に伝達し、テンションプーリー１１７によるベルト１１６の緊張を弱めることで、ベルト１１６による動力伝達を遮断するクラッチ機能を有する構造になっている。
【００９１】
本発明のブレーキ付保護者用操向装置１の操向装置２は、この幼児用自動車１００の後方から保護者が保護者用ハンドル４を操作してハンドル軸１０５を回動させ、また、ブレーキレバー９０の操作により、後輪１１３，１１３の車軸１１４上に設けられているブレーキディスク１１８を制動し、更に、レバー１１９の操作によりテンションプーリー１１７を操作して、ブレーキ付保護者用操向装置１の使用時にはペダル１１０，１１０やクランク軸１１１が連動しないようにして、幼児の足を守っている。
【００９２】
図１０は、本発明の第２実施形態によるブレーキ付保護者用操向装置を備えた幼児用自転車の要部側面図であり、図１１は同じく接続操作具周辺部を拡大して示す側面図であり、図１２は同じくその接続操作具を示す分解斜視図である。
【００９３】
これら各図に示すように、本発明の第２実施形態によるブレーキ付保護者用操向装置２Ａでは、幼児用自転車５０の左右のチェーンステイ８５，８５に固定部材６１が固定されている。
【００９４】
この固定部材６１は、上部６１ａが略Ｔ形状を有し、この上部６１ａ部を左右のチェーンステイ８５，８５の前部間に懸架させた状態で当該チェーンステイ８５，８５の上部に溶接されて固定されている。
【００９５】
この固定部材６１の下部６１ｂは略逆三角形状の板状に形成されており、ワイヤーなどが後輪やチェーンに接触しないように左側方に寄せた形状になっており、この下部６１ｂには、保護者用ブレーキレバー９０に一端を装着したブレーキワイヤー６８のアウター６９の後端部を装着するための装着部分となる開孔６１ｃが形成され、更に、下部６１ｂの後面から後方に向けて丸棒形状のガイド棒６５を突出させてある。
【００９６】
又、前記開孔６１ｃ内に、前方から前記アウター６９の後端部を突入させて、この後端部を、ナットを用いて固定部材６１に装着してある。
【００９７】
この固定部材６１の後方には、小判形状を有するスライド部材６４が、その後面から後方に向けて突出している筒部６４ａ内に前記ガイド棒６５を突入させて、前後にスライド自在に支持されており、固定部材６１とスライド部材６４との間に、コイルバネ６６を前記ガイド棒６５に支持させた状態で備えられ、保護者用ブレーキレバー９０の操作によって前方に引き付けられたスライド部材６４を、その操作を解除したときに、このコイルバネ６６の付勢力で元の位置に戻るようにしてある。
【００９８】
そして、このスライド部材６４の後面に設けられている装着部６４ｂに、前記アウター６９内から後方に向けて延出させたブレーキワイヤー６８の後端部を接続してある。
【００９９】
又、スライド部材６４の前面側から、スライド部材６４に形成されている開孔６４ｃ内に向けて幼児用自転車５０のブレーキワイヤー７０のアウター７２後端部を突入させて、この後端部を、ナットを用いてスライド部材６４に装着している。
【０１００】
更に、このアウター７２内から後方に向けて延出させたブレーキワイヤー７０の後端部を、後方に位置する幼児用自転車のブレーキを作動させる作動アーム５９に装着してあり、幼児用自転車のブレーキ制動操作を解除したときに当該作動アーム５９が元の位置に復帰するように、スライド部材６４と作動アーム５９との間に、チェーンステイ８５に支持されているバネ受け部材６７の先端近傍部分を位置させ、このバネ受け部材６７と作動アーム５９との間にコイルバネ７５を位置させている。
【０１０１】
このように構成すると、幼児用自転車のブレーキ操作をしたときに、そのブレーキワイヤー７０の引き付けによって、作動アーム５９を手前方向に回動操作してブレーキ制動が行なわれ、ブレーキ操作を解除すると、作動アーム５９はコイルバネ７５の付勢力によって元の位置に復帰してブレーキ制動が解除される。
【０１０２】
また、保護者用ブレーキレバー９０を操作して、そのブレーキワイヤー６８を引くと、スライド部材６４が手前方向にスライドし、このスライドによってブレーキワイヤー７０がそのアウター７２とともに手前方向に引かれて、作動アーム５９を手前方向に回動操作してブレーキ制動が行なわれる。
【０１０３】
ところで、図１０に示す保護者用操向装置２のハンドル軸５はその途中部において着脱可能な他の実施形態による分割構造を有している。
【０１０４】
図１３は上部側のハンドル軸５の本体部５Ａを取り外した状態を示す自転車の要部側面図であり、図１４はハンドル軸５を構成している下部側の分割部５Ｂと上部側の本体部５Ａとの連結部分を示す正面断面図である。
【０１０５】
図１０及び図１３に示すように、ハンドル軸５の下部側の分割部５Ｂの上端近傍部分が左右のサドルステイ８１，８１の前部間に届く長さよりも短い長さを有し、その上部の外周面に、上部側の本体部５Ａを接続するための接続用パイプ５７の下部が装着されている。
【０１０６】
この分割部５Ｂは、その下部が、ハンガーラグ（ボトムブラケットラグ）８４と、左右のチェーンステイ８５，８５の間に位置させて、ハンガーラグ８４に溶接によって装着されて支持されており、接続用パイプ５７は左右のサドルステイ８１，８１の前部間から斜め後方に多少突出した状態になっている。
【０１０７】
そして、この接続用パイプ５７の上端近傍部には、上部側の本体部５Ａを取り外したときに、接続用パイプ５７上端の開口から雨水や埃等が入らないようにするためのキャップ５８が取り付けられており、図１０に示すように、上部側の本体部５Ａを接続用パイプ５７内に嵌入して双方を連結した状態にあるときには、前記開口から取り外したキャップ５８は、接続用パイプ５７に嵌め付けたリング部分で支持された状態になっている。
【０１０８】
図１４に示すように、ハンドル軸５を構成している下部側の分割部５Ｂと上部側の本体部５Ａとの連結は、上部側の本体部５Ａの下部を前記接続用パイプ５７内に突入させ、上部側の本体部５Ａ内の対向する２側方から、Ｕ形状を有するバネ８９によって付勢させた２個のピン８７，８７を、接続用パイプ５７に形成されている２箇所の開孔５７ａ，５７ａ内から更に外側に突出させることにより行なわれており、このように構成すると、上部側の本体部５Ａを左右何れかの方向に回転操作したとき、下部側の分割部５Ｂのワイヤー操作部ケースの上方部分が共に連動する。
【０１０９】
なお、接続用パイプ５７内から上部側の本体部５Ａを取り外すときには、２個のピン８７，８７の先端部を指先或いはドライバーの先端などで押さえて後退させた状態で、本体部５Ａを上方に引くと、本体部５Ａは接続用パイプ５７内から抜き取り可能になる。
【０１１０】
そして、図１０及び図１３に示すように、保護者用ブレーキのブレーキワイヤー６８の途中部を分断させて、この分断させた部分をジョイント９９で接続させるようにすると、上部側の本体部５Ａの着脱が容易にできる。
【０１１１】
【発明の効果】
本発明に係るブレーキ付保護者用操向装置においては、幼児用乗物に装着することができる結果、この幼児用乗物に幼児を乗せたまま、保護者が自然な立ち姿勢のまま、歩きながらその後ろから片手で押しながら前に進めることができたり、また、保護者の手によって自由に向きを換えたり、ブレーキ操作ができるようになる。
【０１１２】
この結果、本発明に係るブレーキ付保護者用操向装置においては、幼児を幼児用乗物に乗せたまま、保護者は自分の歩く速度に合わせて、幼児用乗物を移動させることができたり、或いは公園で遊ぶときにも、幼児用乗物に乗った幼児の後ろから、保護者が自然な立ち姿勢のまま押して、幼児用乗物を走行させたり、運転の練習させることができるようになり、このような親子のふれあいによって、子供を更に楽しくさせたり、豊かな心を育んだりすることができるなどの効果を奏するのである。
【０１１３】
そして、特に、本発明のブレーキ付保護者用操向装置においては、保護者用のブレーキレバーに、レバー作動状態を維持する係止機構を設けると、ブレーキが作動している状態、ブレーキが解除されている状態、或いはその中間におけるいずれかの状態を維持することができる結果、保護者の手を放れて幼児が自由に運転、操行させたり、逆に、保護者の手を放れた状態での幼児の自由な運転を制御させたり、スピードが出過ぎないように調節したり、幼児用乗物をその位置で停止させることができるなどの効果を奏するのである。
【０１１４】
更に、本発明に係るブレーキ付保護者用操向装置においては、幼児用車両に着脱できる構造に形成されている結果、必要に応じて利用できるのであり、不要な場合には取り外して、一般の幼児用乗物のようにシンプルな形状に構成できるなどの効果を奏するのである。
【図面の簡単な説明】
【図１】図１において（ａ）図は、本発明の１実施形態によるブレーキ付保護者用走行装置を装着した幼児用自転車を示す側面図である。
図１において（ｂ）図は、保護者用ハンドルを示す平面図である。
図１において（ｃ）図は、同じくその保護者用ハンドルの後面図である。
【図２】図２において（ａ）図は、保持部の下部側に位置するワイヤー操作部ケース内を拡大して示す側面断面図である。
図２において（ｂ）図は、同じくその平面断面図である。
【図３】図３において（ａ）図は、ワイヤー操作部ケースを拡大して示す側面断面図である。
図３において（ｂ）図は、同じくその平面断面図である。
【図４】図４において（ａ）図は、保護者用のブレーキレバーの部分を示す側面図である。
図４において（ｂ）図は、同じくその保護者用のブレーキレバーの接続操作具を示す側面断面図である。
【図５】図５は、保護者用の操向装置を幼児用自転車に取り付けた構造を示す要部側面図である。
【図６】図６は、幼児用自転車における左右のサドルステイに支持部材を装着した状態を示す平面図である。
【図７】図７は、幼児用自転車のハンガーラグと左右のチェーンステイとの前端間に保護者用操向装置の保持部の下部を装着した状態を示す平面図である。
【図８】図８は、同じくその要部拡大側面図である。
【図９】図９は、本発明のブレーキ付保護者用操向装置を幼児用自動車に取り付けた状態を透視して示す平面図である。
【図１０】図１０は本発明の第２実施形態によるブレーキ付保護者用操向装置を備えた幼児用自転車の要部側面図である。
【図１１】図１１は同じく接続操作具周辺部を拡大して示す側面図である。
【図１２】図１２は同じく接続操作具を分解して示す分解斜視図である。
【図１３】図１３は上部側のハンドル軸の本体部を取り外した状態を示す自転車の要部側面図である。
【図１４】図１４はハンドル軸を構成している下部側の分割部と上部側の本体部との連結部分を示す正面断面図である。
【符号の説明】
１  ブレーキ付保護者用操向装置
２  保護者用の操向装置
３  保護者用のブレーキ装置
４  保護者用ハンドル
５  長尺ハンドル軸
６  保持部
７  ワイヤー操作部ケース
１８，１９  プッシュプルワイヤー
５０  幼児用自転車
５１  長尺ハンドル軸
５２  ハンドルボス
６０  接続操作具
６９  ブレーキワイヤー
７０  ブレーキワイヤー
９０  保護者用ブレーキレバー
９１  レバー
【図１】
2004314684.tif 000003
【図２】
2004314684.tif 000004
【図３】
2004314684.tif 000005
【図４】
2004314684.tif 000006
【図５】
2004314684.tif 000007
【図６】
2004314684.tif 000008
【図７】
2004314684.tif 000009
【図８】
2004314684.tif 000010
【図９】
2004314684.tif 000011
【図１０】
2004314684.tif 000012
【図１１】
2004314684.tif 000013
【図１２】
2004314684.tif 000014
【図１３】
2004314684.tif 000015
【図１４】
2004314684.tif 000016
【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
保護者用ハンドルを上端に備えた長尺ハンドル軸と、この長尺ハンドル軸を幼児用乗物の後部から後上方に向けて取り付けるための保持部とを備えた保護者用操向装置に、幼児用乗物のブレーキ操作を行なう保護者用ブレーキ装置を備えていることを特徴とするブレーキ付保護者用操向装置。
【請求項２】
保護者用ブレーキ装置は、保護者用ハンドルに設けたブレーキレバーと、このブレーキレバーの操作によって幼児用乗物のブレーキ装置を作動させるブレーキワイヤーと、このブレーキワイヤーの一端を幼児用乗物のブレーキ装置に接続する接続操作具を備えたもので構成されている請求項１に記載のブレーキ付保護者用操向装置。
【請求項３】
接続操作具は、幼児用乗物のブレーキワイヤーを覆っているアウターを前後に分断させ、その後側のアウターにおける前端部に装着する装着部を備える固定部材と、ブレーキワイヤーの中途部を露出させて当該中途部をブレーキ作動させる方向に操作する作動部を有する作動部材と、この作動部材の作動部を近接・離反方向に可動するバネとを備え、前記作動部材の作動部がブレーキレバーによって作動するようにブレーキワイヤーの先端部が支持されている請求項１又は２に記載のブレーキ付保護者用操向装置。
【請求項４】
接続操作具は、チェーンステイに固定した固定部材に、保護者用ブレーキのブレーキワイヤーを覆っているアウターの後端部を装着し、この固定部材の後方にスライド部材をバネで後方に付勢させた状態でスライド自在に支持して、当該スライド部材に保護者用ブレーキのブレーキワイヤーの後端部と幼児用乗物のブレーキワイヤーを覆っているアウターの後端部とを装着して、幼児用乗物のブレーキワイヤーの引き操作と、保護者用ブレーキレバーの操作による前記スライド部材の引き操作の何れでも、幼児用乗物のブレーキ制動が行われるように構成されている請求項１又は２に記載のブレーキ付保護者用操向装置。
【請求項５】
ブレーキレバーのレバー作動状態においてブレーキが掛かり、ブレーキレバーのレバー解除状態においてブレーキが解除される請求項２又は３に記載のブレーキ付保護者用操向装置。
【請求項６】
ブレーキレバーのレバー作動状態においてブレーキが解除され、ブレーキレバーのレバー解除状態においてブレーキが作動する請求項１ないし４のいずれか１項に記載のブレーキ付保護者用操向装置。
【請求項７】
ブレーキレバーには、レバーの作動位置を維持する係止機構が設けられている請求項１ないし４のいずれか１項に記載のブレーキ付保護者用操向装置。
【請求項８】
幼児用乗物が幼児用自転車である請求項１ないし７のいずれか１項に記載のブレーキ付保護者用操向装置を備えた幼児用乗物。
【請求項９】
幼児用乗物が幼児用三輪車である請求項１ないし７のいずれか１項に記載のブレーキ付保護者用操向装置を備えた幼児用乗物。
【請求項１０】
幼児用乗物が幼児用自動車である請求項１ないし７のいずれか１項に記載のブレーキ付保護者用操向装置を備えた幼児用乗物。
【請求項１１】
幼児用乗物の車輪と、この車輪を回転させるペダルとを連動させている動力伝達部の一部個所が、動力伝達の遮断を可能とする構造を有する請求項８ないし１０のいずれか１項に記載のブレーキ付保護者用操向装置を備えた幼児用乗物。
【請求項１２】
保護者用操向装置が保護者用ブレーキ装置と共に幼児用乗物に対して着脱自在に構成されている請求項８ないし１１のいずれか１項に記載のブレーキ付保護者用操向装置。
【手続補正２】
【補正対象書類名】明細書
【補正対象項目名】００１９
【補正方法】変更
【補正の内容】
【００１９】
即ち、本発明のブレーキ付保護者用操向装置においては、幼児用自転車、幼児用三輪車、幼児用自動車等の幼児用乗物の後上方に向けて取り付けて使用するものであり、保護者用ブレーキ装置を備えるものである。


【手続補正３】
【補正対象書類名】明細書
【補正対象項目名】００２６
【補正方法】変更
【補正の内容】
【００２６】
なお、前記接続操作具は、保護者用ブレーキ装置から延出しているブレーキワイヤーの一端を、幼児用乗物のブレーキ装置に接続して、幼児用乗物のブレーキを制動させることができる構造のものであれば良く、その構造は特定のものに限定されないが、その好ましい例としては、接続操作具は、幼児用乗物のブレーキワイヤーを覆っているアウターを前後に分断させ、その後側のアウターにおける前端部に装着する装着部を備える固定部材と、ブレーキワイヤーの中途部を露出させて当該中途部をブレーキ作動させる方向に操作する作動部を有する作動部材と、この作動部材の作動部を近接・離反方向に可動するバネとを備え、前記作動部材の作動部がブレーキレバーによって作動するようにブレーキワイヤーの先端部が支持されている構造のものを挙げることができる。


【手続補正４】
【補正対象書類名】明細書
【補正対象項目名】００２７
【補正方法】変更
【補正の内容】
【００２７】
この構造の接続操作具の原理は、例えば洗濯バサミに見い出すことができる。洗濯バサミを例に挙げて分かり易く説明すると、洗濯バサミの左右先端部の一方をアウターに固定し、他方でブレーキワイヤーを引くことができるようにし、洗濯バサミの手で操作する左右後端部の一方に保護者用ブレーキ装置のアウターを支持し、他方にそのブレーキワイヤー（インナー）を装着する。このようにすると、保護者用ブレーキ装置のブレーキレバーを操作すると、洗濯バサミの先端が開き、これによりブレーキワイヤーが引き付けられる方向に移動し、ブレーキが作動する。


【手続補正５】
【補正対象書類名】明細書
【補正対象項目名】００２８
【補正方法】変更
【補正の内容】
【００２８】
また、上述した構造の接続操作具に代わる他の手段として、チェーンステイに固定した固定部材に、保護者用ブレーキのブレーキワイヤーを覆っているアウターの後端部を装着し、この固定部材の後方にスライド部材をバネで後方に付勢させた状態でスライド自在に支持して、当該スライド部材に保護者用ブレーキのブレーキワイヤーの後端部と幼児用乗物のブレーキのブレーキワイヤーを覆っているアウターの後端部とを装着して、幼児用乗物のブレーキワイヤーの引き操作と、保護者用ブレーキレバーの操作による前記スライド部材の引き操作の何れでも、幼児用乗物のブレーキ制動が行行われる接続操作具が挙げられる。


【手続補正６】
【補正対象書類名】明細書
【補正対象項目名】００５５
【補正方法】変更
【補正の内容】
【００５５】
図１の（ａ）図は本発明の第１実施形態によるブレーキ付保護者用操向装置（以下、第１実施形態の操向装置と略称する。）を装着した幼児用自転車を示した側面図であり、同（ｂ）図は保護者用ハンドルを示す要部平面図であり、同（ｃ）図は同じく保護者用ハンドルの要部後面図である。


【手続補正７】
【補正対象書類名】明細書
【補正対象項目名】００５６
【補正方法】変更
【補正の内容】
【００５６】
図１の（ａ）図では、第１実施形態の操向装置１が幼児用自転車５０に装着されている。第１実施形態の操向装置１は、保護者用操向装置２に保護者用ブレーキ装置３を装備しており、保護者用操向装置２は、保護者用ハンドル４と、この保護者用ハンドル４を上端に装着した長尺ハンドル軸５と、この長尺ハンドル軸５全体を保持している長尺状を有する金属パイプ製の保持部６と、この保持部６の下部に装着されているワイヤー操作部ケース７とによって構成されており、前記保持部６を幼児用自転車５０のサドルＳの下方から幼児用自転車５０の後上方に向けて突出するように装着されている。


【手続補正８】
【補正対象書類名】明細書
【補正対象項目名】００６０
【補正方法】変更
【補正の内容】
【００６０】
これら各図に示すように、ワイヤー操作部ケース７は、左右両端近傍から夫々ワイヤーガイド部７ａ，７ｂを突出させた平面視、略円形を有する上側ケース７Ａと下側ケース７Ｂとから成る上下分割構造の金属製又は樹脂製のものである。
上側ケース７Ａの上面中央には、長尺ハンドル軸５とともに保持部６の下部を突入させる開口７ｃが形成されており、この開口７ｃ内に突入させた長尺ハンドル軸５の下部に、ワイヤーガイド板８がワイヤー操作部９とともにネジ１３，１４で止められている。


【手続補正９】
【補正対象書類名】明細書
【補正対象項目名】００６１
【補正方法】変更
【補正の内容】
【００６１】
又、前記長尺ハンドル軸５の下部支持は、下側ケース７Ｂの内側下面中央から上方に向けて突出させたボス７ｄにネジ１６を挿通させ、このネジ１６の先端部を、長尺ハンドル軸５の下端面に設けたネジ溝５ａに向けて締付けて螺装し、長尺ハンドル軸５の回転に連動して、ネジ１６と下側ケース７Ｂが同方向に共回転されるようにボス部７ｄ上に支持させている。
このようにして、長尺ハンドル軸５は、上側ケース７Ａを貫通して、下側ケース７Ｂの内面にネジ１６によって締付けされ、下側ケース７Ｂに連結して取付けられるのである。
保持部６と上側ケース７Ａとは、保持部６の下部に形成されているフランジ部６ａと該上側ケース７Ａの上面とを重ね合わせて、双方をボルト１７，１７で装着されている。


【手続補正１０】
【補正対象書類名】明細書
【補正対象項目名】００６２
【補正方法】変更
【補正の内容】
【００６２】
そして、ワイヤーガイド部７ａ，７ｂからワイヤー操作部ケース７内に挿通させた２本のプッシュプルワイヤー１８，１９の一端近傍部を、一方を右側から、他方を左側からそれぞれワイヤーガイド板８の外周面に沿わせ、各先端部をワイヤー操作部９の後端にボルト２２を用いて装着させている。そして、前記各プッシュプルワイヤー１８，１９のアウター２０，２１の一端をワイヤーガイド部７ａ，７ｂの先端に装着させている。


【手続補正１１】
【補正対象書類名】明細書
【補正対象項目名】００６８
【補正方法】変更
【補正の内容】
【００６８】
更に、保護者用操向装置２に装備されている保護者用ブレーキ装置３について説明する。
図１の（ａ）図に示す保護者用ブレーキ装置３は、保護者が幼児用自転車５０の後ろからブレーキを制動する装置であり、幼児用自転車５０のブレーキレバー５７とブレーキ部５８とを連動させているブレーキワイヤー７０の後部近傍における中途部において、保護者用ハンドル４に設けられた保護者用ブレーキレバー９０から当該ブレーキワイヤー７０を操作する機構を備えている。


【手続補正１２】
【補正対象書類名】明細書
【補正対象項目名】００７２
【補正方法】変更
【補正の内容】
【００７２】
図４に示すように、幼児用乗物のブレーキワイヤー７０のアウター７２は、後部近傍個所が前後に分断されて前後２本のアウター７２，７２に形成されており、この２本のアウター７２，７２の間からブレーキワイヤー７０の中途部を露出させてあり、ブレーキレバー側のアウター７２の後端近傍に位置するブレーキワイヤー７０の中途部には前記作動部材６２の下端部６２ａに係止される係止部材７９が固定されている。


【手続補正１３】
【補正対象書類名】明細書
【補正対象項目名】００７３
【補正方法】変更
【補正の内容】
【００７３】
前記接続操作具６０の固定部材６１には、その下端部６１ａに、分断した後部側のアウター７２の前端部を挿通する開孔６１ｂが形成され、又、その上端部に、保護者用ブレーキレバー側から延出させたブレーキワイヤー６９のアウター先端部が挿通される開孔６１ｃが形成されている。


【手続補正１４】
【補正対象書類名】明細書
【補正対象項目名】００７４
【補正方法】変更
【補正の内容】
【００７４】
一方、接続操作具６０の作動部材６２には、その下端部６２ａに、前述したアウター７２，７２の間から露出しているブレーキワイヤー７０を挿通させる開孔６２ｂが形成され、又、その上端部に、保護者用ブレーキレバー９０側から延出されたブレーキワイヤー６９のワイヤー６３を挿通させる開孔６２ｃが形成され、このワイヤー６３の先端部を開孔６２ｃに挿通させてピン７４を装着して、保護者用のブレーキワイヤー６９が前記作動部材６２に固定されている。


【手続補正１５】
【補正対象書類名】明細書
【補正対象項目名】００７５
【補正方法】変更
【補正の内容】
【００７５】
そして、この接続操作具６０は、固定部材６１の下端部６１ａに外側からアウター７２の先端部を突入させて、この先端部近傍に螺装したナットＹによって、アウター７２を固定部材６１に受け止めるようにし、一方、作動部材６２の下端部６２ａにおける開孔６２ｂ内にブレーキワイヤー７０の中途部を挿通させて、このブレーキワイヤー７０の中途部に設けてある係止部材７９を当該作動部材６２の外側面に接当させた状態で、幼児用自転車のブレーキワイヤー７０側に取り付けられている。


【手続補正１６】
【補正対象書類名】明細書
【補正対象項目名】００７６
【補正方法】変更
【補正の内容】
【００７６】
そして、固定部材６１の開孔６１ｃ内に保護者用ブレーキレバー９０側から延出させたブレーキワイヤー６９の先端部を挿通させて、この先端部近傍に螺装したナット７７によって固定部材６１に受け止めるようにし、このブレーキワイヤー６９におけるワイヤー６３の先端部を開孔６２ｃに挿通させて作動部材６２の外側にピン７４を装着、接当させている。


【手続補正１７】
【補正対象書類名】明細書
【補正対象項目名】００７７
【補正方法】変更
【補正の内容】
【００７７】
このような取付構造に構成すると、保護者用ブレーキレバー９０の引き操作により作動すれば、作動部材６２の上端部が引きつけられて、その下端部６２ａが固定部材６１の下端部６１ａに対して開く方向に作動し、ブレーキワイヤー７０の中途部に固定してある係止部材７９を引き、ブレーキの制動を作動する。そして、保護者用ブレーキレバー９０の操作を解除させると、バネ６８の付勢力によって、作動部材６２の下端部６２ａを元の閉じる方向に戻し、ブレーキの制動を解除する。


【手続補正１８】
【補正対象書類名】明細書
【補正対象項目名】００７８
【補正方法】変更
【補正の内容】
【００７８】
なお、本実施例においては、保護者用ブレーキレバー９０を作動させた状態においてブレーキが作動する構成のものとなっているが、保護者用ブレーキレバー９０の操作によるワイヤーの引きつけを逆に構成することにより、ブレーキレバー９０を作動させた状態においてブレーキの制動が解除され、ブレーキレバーの解除状態においてブレーキの制動が作動する構成のものとすることもできる。


【手続補正１９】
【補正対象書類名】明細書
【補正対象項目名】００８０
【補正方法】変更
【補正の内容】
【００８０】
ところで、本実施例においては、保護者用ブレーキレバー９０に設けてあるレバー９１の操作で、ブレーキを作動させたままにしたり、或いは解除させたままにしたりすることができる係止機構を設けている。


【手続補正２０】
【補正対象書類名】明細書
【補正対象項目名】００８１
【補正方法】変更
【補正の内容】
【００８１】
図５は保護者用操向装置２を幼児用自転車５０に取り付ける構造を示す要部側面図であり、図６は幼児用自転車における左右のサドルステイ８１，８１に支持部材８２を装着した状態を示す平面図であり、図７は幼児用自転車のハンガーラグ（ボトムブラケットラグ）８４と左右のチェーンステイ８５，８５の前端間に保護者用操向装置２の保持部６の下部を装着した状態を示す平面図であり、図８は同じくその側面図である。


【手続補正２１】
【補正対象書類名】明細書
【補正対象項目名】００８３
【補正方法】変更
【補正の内容】
【００８３】
図５〜図８に示すように、幼児用自転車５０における左右のサドルステイ８１，８１の間に、保持部６を挿通させる大きさの筒状の支持部材８２が固定されている。又、幼児用自転車５０のクランク軸を支持している金属製筒体よりなるハンガーラグ（ボトムブラケットラグ）８４と、左右のチェーンステイ８５，８５の間に、保持部６の下部側６Ｂを溶接によって装着している。


【手続補正２２】
【補正対象書類名】明細書
【補正対象項目名】００８４
【補正方法】変更
【補正の内容】
【００８４】
そして、図７及び図８に示すように、下部側６Ｂの上端外周面に、上部側の保持部６Ａの下端部を挿通支持させる筒部材Ｚを上方に向けて突出させた状態で固定してある。


【手続補正２３】
【補正対象書類名】明細書
【補正対象項目名】００８６
【補正方法】変更
【補正の内容】
【００８６】
なお、本体部５Ａと分割部５Ｂとの連結を、他の方法、例えば、双方の端部を合わせることにより、角形溝と角型の突起による組み付け、又はスプラインを利用した接続ができるようにしてもよい。


【手続補正２４】
【補正対象書類名】明細書
【補正対象項目名】００９１
【補正方法】変更
【補正の内容】
【００９１】
本発明のブレーキ付保護者用操向装置１の操向装置２は、この幼児用自動車１００の後方から保護者が保護者用ハンドル４を操作してハンドル軸１０５を回動させ、また、保護者用ブレーキレバー９０の操作により、後輪１１３，１１３の車軸１１４上に設けられているブレーキディスク１１８を制動し、更に、レバー１１９の操作によりテンションプーリー１１７を操作して、ブレーキ付保護者用操向装置１の使用時にはペダル１１０，１１０やクランク軸１１１が連動しないようにして、幼児の足を守っている。


【手続補正２５】
【補正対象書類名】明細書
【補正対象項目名】００９２
【補正方法】変更
【補正の内容】
【００９２】
図１０は、本発明の第２実施形態によるブレーキ付保護者用操向装置（以下、第２実施形態の操向装置と略称する。）を備えた幼児用自転車の要部側面図であり、図１１は同じく接続操作具周辺部を拡大して示す側面図であり、図１２は同じくその接続操作具を示す分解斜視図である。


【手続補正２６】
【補正対象書類名】明細書
【補正対象項目名】００９３
【補正方法】変更
【補正の内容】
【００９３】
これら各図に示すように、本発明の第２実施形態によるブレーキ付保護者用操向装置２Ａでは、幼児用自転車５０の左右のチェーンステイ８５，８５に固定部材６１’が固定された例を示している。


【手続補正２７】
【補正対象書類名】明細書
【補正対象項目名】００９４
【補正方法】変更
【補正の内容】
【００９４】
この固定部材６１’は、図１２に示すように、上部６１ａが略Ｔ形状を有し、この上部６１ａを左右のチェーンステイ８５，８５に懸架させた状態で当該チェーンステイ８５，８５の上部に溶接されて固定されている。


【手続補正２８】
【補正対象書類名】明細書
【補正対象項目名】００９５
【補正方法】変更
【補正の内容】
【００９５】
この固定部材６１’の下部６１ｂは、ワイヤーなどが後輪やチェーンに接触しないように左側方に寄せた略逆三角形状の板状に形成されており、この下部６１ｂには、保護者用ブレーキレバー９０に一端を装着したブレーキワイヤー６９のアウターＱの後端部を装着するための装着部分となる開孔６１ｃが形成され、更に、下部６１ｂの後面から後方に向けて丸棒形状のガイド棒６５を突出させてある。


【手続補正２９】
【補正対象書類名】明細書
【補正対象項目名】００９６
【補正方法】変更
【補正の内容】
【００９６】
又、前記開孔６１ｃ内に、前方から前記アウターＱの後端部を突入させて、この後端部を、ナットを用いて固定部材６１’に装着してある。


【手続補正３０】
【補正対象書類名】明細書
【補正対象項目名】００９７
【補正方法】変更
【補正の内容】
【００９７】
この固定部材６１’の後方には、小判形状を有するスライド部材６４が、その後面から後方に向けて突出している筒部６４ａ内に前記ガイド棒６５を突入させて、前後にスライド自在に支持されており、固定部材６１’とスライド部材６４との間に、コイルバネ６６を前記ガイド棒６５に支持させた状態で備えられ、保護者用ブレーキレバー９０の操作によって前方に引き付けられたスライド部材６４を、その操作を解除したときに、このコイルバネ６６の付勢力で元の位置に戻るようにしてある。


【手続補正３１】
【補正対象書類名】明細書
【補正対象項目名】００９８
【補正方法】変更
【補正の内容】
【００９８】
そして、このスライド部材６４の後面に設けられている装着部６４ｂに、前記アウターＱ内から後方に向けて延出させたワイヤー６３の後端部を接続してある。


【手続補正３２】
【補正対象書類名】明細書
【補正対象項目名】０１００
【補正方法】変更
【補正の内容】
【０１００】
更に、このアウター７２内から後方に向けて延出させたブレーキワイヤー７０の後端部を、後方に位置する幼児用自転車５０のブレーキ制動を作動させる作動アーム５９に装着してあり、幼児用自転車５０のブレーキ制動操作を解除したときに当該作動アーム５９が元の位置に復帰するように、スライド部材６４と作動アーム５９との間に、チェーンステイ８５に支持されているバネ受け部材６７の先端近傍部分を位置させ、このバネ受け部材６７と作動アーム５９との間にコイルバネ７５を位置させている。


【手続補正３３】
【補正対象書類名】明細書
【補正対象項目名】０１０１
【補正方法】変更
【補正の内容】
【０１０１】
このように構成すると、幼児用自転車５０のブレーキ操作をしたときに、そのブレーキワイヤー７０の引き付けによって、作動アーム５９を前方向に回動操作してブレーキ制動が行なわれ、ブレーキ操作を解除すると、作動アーム５９はコイルバネ７５の付勢力によって元の位置に復帰してブレーキ制動が解除される。


【手続補正３４】
【補正対象書類名】明細書
【補正対象項目名】０１０２
【補正方法】変更
【補正の内容】
【０１０２】
また、保護者用ブレーキレバー９０を引くと、スライド部材６４が前方向にスライドし、このスライドによってワイヤー６３が前方向に引かれて、作動アーム５９を前方向に回動操作してブレーキ制動が行なわれる。


【手続補正３５】
【補正対象書類名】明細書
【補正対象項目名】０１０３
【補正方法】変更
【補正の内容】
【０１０３】
ところで、図１０に示す保護者用操向装置２Ａのハンドル軸５はその途中部において着脱可能な他の実施形態による分割構造を有している。なお、本実施例では、保持部６を備えず、ハンドル軸５だけをワイヤー操作部ケース７に取付けた場合のものを示している。
【手続補正３６】
【補正対象書類名】明細書
【補正対象項目名】０１０５
【補正方法】変更
【補正の内容】
【０１０５】
図１０及び図１３に示すように、ハンドル軸５の下部側の分割部５Ｂの上端近傍部分が左右のサドルステイ８１，８１の前部間に届く長さよりも短い長さを有し、その上部の外周面に、上部側の本体部５Ａを接続するための接続用パイプＸの下部が装着されている。


【手続補正３７】
【補正対象書類名】明細書
【補正対象項目名】０１０６
【補正方法】変更
【補正の内容】
【０１０６】
この分割部５Ｂは、その下部が、ハンガーラグ（ボトムブラケットラグ）８４と、左右のチェーンステイ８５，８５の間に位置させて、ハンガーラグ８４に溶接によって装着されて支持されており、接続用パイプＸは左右のサドルステイ８１，８１の前部間から斜め後方に多少突出した状態になっている。


【手続補正３８】
【補正対象書類名】明細書
【補正対象項目名】０１０７
【補正方法】変更
【補正の内容】
【０１０７】
そして、この接続用パイプＸの上端近傍部には、上部側の本体部５Ａを取り外したときに、接続用パイプＸ上端の開口から雨水や埃等が入らないようにするためのキャップＲが取り付けられており、図１０に示すように、上部側の本体部５Ａを接続用パイプＸ内に嵌入して双方を連結した状態にあるときには、前記開口から取り外したキャップＲは、接続用パイプＸに嵌め付けたリング部分で支持された状態になっている。


【手続補正３９】
【補正対象書類名】明細書
【補正対象項目名】０１０８
【補正方法】変更
【補正の内容】
【０１０８】
図１４に示すように、ハンドル軸５を構成している下部側の分割部５Ｂと上部側の本体部５Ａとの連結は、上部側の本体部５Ａの下部を前記接続用パイプＸ内に突入させ、上部側の本体部５Ａ内の対向する２側方から、Ｕ形状を有するバネＳによって付勢させた２個のピン８７，８７を、接続用パイプＸに形成されている２箇所の開孔５７ａ，５７ａ内から更に外側に突出させることにより行なわれており、このように構成すると、上部側の本体部５Ａを左右何れかの方向に回転操作したとき、下部側の分割部５Ｂが連動され、この分割部５Ｂの下端に取付けたワイヤー操作部ケース７の下側ケース７Ｂも共に連動する。


【手続補正４０】
【補正対象書類名】明細書
【補正対象項目名】０１０９
【補正方法】変更
【補正の内容】
【０１０９】
なお、接続用パイプＸ内から上部側の本体部５Ａを取り外すときには、２個のピン８７，８７の先端部を指先或いはドライバーの先端などで押さえて後退させた状態で、本体部５Ａを上方に引くと、本体部５Ａは接続用パイプＸ内から抜き取り可能になる。


【手続補正４１】
【補正対象書類名】明細書
【補正対象項目名】０１１０
【補正方法】変更
【補正の内容】
【０１１０】
そして、図１０及び図１３に示すように、保護者用ブレーキのブレーキワイヤー６９の途中部を分断させて、この分断させた部分をジョイント９９で接続させるようにすると、上部側の本体部５Ａの着脱が容易にできる。


【手続補正４２】
【補正対象書類名】明細書
【補正対象項目名】０１１３
【補正方法】変更
【補正の内容】
【０１１３】
そして、特に、本発明のブレーキ付保護者用操向装置においては、保護者用ブレーキレバーに、レバー作動状態を維持する係止機構を設けると、ブレーキが作動している状態、ブレーキが解除されている状態、或いはその中間におけるいずれかの状態を維持することができる結果、保護者の手を放れて幼児が自由に運転、操行させたり、逆に、保護者の手を放れた状態での幼児の自由な運転を制御させたり、スピードが出過ぎないように調節したり、幼児用乗物をその位置で停止させることができるなどの効果を奏するのである。


【手続補正４３】
【補正対象書類名】明細書
【補正対象項目名】図面の簡単な説明
【補正方法】変更
【補正の内容】
【図面の簡単な説明】
【図１】図１において（ａ）図は、本発明の１実施形態によるブレーキ付保護者用操向装置を装着した幼児用自転車を示す側面図である。
図１において（ｂ）図は、保護者用ハンドルを示す平面図である。
図１において（ｃ）図は、同じくその保護者用ハンドルの後面図である。
【図２】図２において（ａ）図は、保持部の下部側に位置するワイヤー操作部ケース内を拡大して示す側面断面図である。
図２において（ｂ）図は、同じくその平面断面図である。
【図３】図３において（ａ）図は、ワイヤー操作部ケースを拡大して示す側面断面図である。
図３において（ｂ）図は、同じくその平面断面図である。
【図４】図４において（ａ）図は、保護者用ブレーキレバーの部分を示す側面図である。
図４において（ｂ）図は、同じくその保護者用ブレーキレバーの接続操作具を示す側面断面図である。
【図５】図５は、保護者用操向装置を幼児用自転車に取り付けた構造を示す要部側面図である。
【図６】図６は、幼児用自転車における左右のサドルステイに支持部材を装着した状態を示す平面図である。
【図７】図７は、幼児用自転車のハンガーラグと左右のチェーンステイとの前端間に保護者用操向装置の保持部の下部を装着した状態を示す平面図である。
【図８】図８は、同じくその要部拡大側面図である。
【図９】図９は、本発明のブレーキ付保護者用操向装置を幼児用自動車に取り付けた状態を透視して示す平面図である。
【図１０】図１０は本発明の第２実施形態によるブレーキ付保護者用操向装置を備えた幼児用自転車の要部側面図である。
【図１１】図１１は同じく接続操作具周辺部を拡大して示す側面図である。
【図１２】図１２は同じく接続操作具を分解して示す分解斜視図である。
【図１３】図１３は上部側のハンドル軸の本体部を取り外した状態を示す自転車の要部側面図である。
【図１４】図１４はハンドル軸を構成している下部側の分割部と上部側の本体部との連結部分を示す正面断面図である。


【手続補正４４】
【補正対象書類名】明細書
【補正対象項目名】符号の説明
【補正方法】変更
【補正の内容】
【符号の説明】
１  ブレーキ付保護者用操向装置
２  保護者用操向装置
３  (保護者用、幼児乗物用)ブレーキ装置
４  保護者用ハンドル
５  長尺ハンドル軸
６  保持部
７  ワイヤー操作部ケース
１８，１９  プッシュプルワイヤー
５０  幼児用乗物（幼児用自転車）
５１  長尺ハンドル軸
５２  ハンドルボス
６０  接続操作具
６１，６１  固定部材
６４  スライド部材
６６  バネ（コイルバネ）
６８  バネ
６９  ブレーキワイヤー（保護者用）
７０  ブレーキワイヤー（幼児用）
７２  （ブレーキ装置の）アウター
Ｑ    （保護者用ブレーキ装置の）アウター
８５  チェーンステイ
９０  保護者用ブレーキレバー
９１  レバー


【手続補正４５】
【補正対象書類名】図面
【補正対象項目名】全図
【補正方法】変更
【補正の内容】
【図１】
2004314684.tif 000017
【図２】
2004314684.tif 000018
【図３】
2004314684.tif 000019
【図４】
2004314684.tif 000020
【図５】
2004314684.tif 000021
【図６】
2004314684.tif 000022
【図７】
2004314684.tif 000023
【図８】
2004314684.tif 000024
【図９】
2004314684.tif 000025
【図１０】
2004314684.tif 000026
【図１１】
2004314684.tif 000027
【図１２】
2004314684.tif 000028
【図１３】
2004314684.tif 000029
【図１４】
2004314684.tif 000030